(57)【特許請求の範囲】
【請求項１】
原稿ジャムを検知することが可能な検知手段を有する自動原稿搬送手段と、
操作者からの動作設定を入力する操作入力手段と、
他のファクシミリ装置との交信を制御する制御手段とを有する直接送信及び独自のモードでの交信が可能なファクシミリ装置において、
前記直接送信中に前記自動原稿搬送手段内で前記原稿ジャムが発生したことを前記検知手段が検知すると、前記制御手段は前記原稿ジャムが解除されるまで、送信相手に前記直接送信を開始する前に予め通知した所定のデータを送信し続け、さらに前記操作入力手段により前記直接送信の再開の動作設定が入力されると、前記原稿ジャムが発生した頁からの送信を再開するように制御することを特徴とするファクシミリ装置。
【請求項２】
前記原稿ジャムが発生した時点からの経過時間を計時する計時手段と、
前記操作者により任意に設定された、前記原稿ジャムが発生してから通信回線を断にするまでの交信継続時間の設定を記憶する記憶手段とをさらに有し、
前記制御手段は、前記計時手段により前記経過時間を計時し、設定された前記交信継続時間を経過しても前記原稿ジャムが解除されないとき、前記送信相手との交信を断にするように制御することを特徴とする請求項１記載のファクシミリ装置。
【請求項３】
前記制御手段は、前記送信相手への画情報の送信が開始される前に前記交信継続時間の設定及び前記原稿ジャムが発生した場合に送信する前記所定のデータの設定をＮＳＳ（非標準設定信号）にて通知することを特徴とする請求項１または２記載のファクシミリ装置。
【請求項４】
前記制御手段は、データを受信すると、受信した前記データが画情報が乗せられた画像データであるのか前記所定のデータであるのかの確認を行い、前記データが前記所定のデータであることを認識すると、前記画情報が乗せられた画像データが送られてくるまではページカウントを行わないように制御することを特徴とする請求項１から３の何れか１項に記載のファクシミリ装置。
【請求項５】
前記他のファクシミリ装置との交信状態を表示する表示手段をさらに有し、
前記制御手段は、前記所定のデータが送られてきたことを認識すると、前記ＮＳＳにて予め設定された前記交信継続時間を前記表示手段に表示するように制御することを特徴とする請求項１から４の何れか１項に記載のファクシミリ装置。
【請求項６】
前記所定のデータは、前記制御手段にて画像データに白マスク処理を施した白マスクデータであることを特徴とする請求項１から５の何れか１項に記載のファクシミリ装置。
【発明の詳細な説明】
【０００１】
【発明の属する技術分野】
本発明は自動原稿搬送装置を具備したＧ３ファクシミリ装置に関し、特に送信中断時の通信手段を備えたファクシミリ装置に関する。
【０００２】
【従来の技術】
従来、自動原稿搬送装置（以下、ＡＤＦという）を具備するＦＡＸ、プリンタ、コピー等において、ＡＤＦにより原稿を画像読み取り装置に搬送するときに、ＡＤＦ内部で原稿ジャムが発生し、原稿を画像読み取り装置に搬送することができず、正確な画像データを画像読み取り装置に読み取らせることができないことがある。特に、ファクシミリ装置においてこの原稿ジャムが発生すると、コピー、プリンタのような複写機とは異なり、読み取った結果をその場で出力して確認せずに送信相手先に送信してしまう場合が多いので、受信側に誤った画像データを送ってしまっても、送信側は気がつかないことが多い。
【０００３】
上記の問題を解決するための一般的な従来例１として、受信局側に画像データを受信したが記録することができなかったイメージ情報があるか否かを検出する検出装置を設け、この検出手段により記録出力したイメージ情報に欠けのあるイメージ情報を検出した場合、その旨を付加メッセージとして記録出力することにより、原稿情報の欠落を明確にするファクシミリ装置が提案されている。
【０００４】
また、本発明と技術分野が類似する従来例２として、特開平６−２４４９９６号公報の「ファクシミリ装置」がある。本従来例は、受信側オペレータに受信画像の切れた理由を容易に通知することができるファクシミリ装置を提供することを目的とし、通常、送信中にストップを押下された場合は、その頁で送信終了であるので、送信側はＥＯＰを送信してそれに対する応答を受信した後、ＤＣＮを送信して回線断にするが、ＥＯＭを送信して一旦フェーズＢに戻り、ＮＳＳ内のＲＴＩに“ストップが押された”ことをキャラクタ入力して送信すると受信側の操作部のＬＣＤ上にその旨が表示され、送信エラーでないことが確認できることを特徴としている。
【０００５】
【発明が解決しようとする課題】
しかしながら、上記の従来例１及び従来例２のファクシミリ装置では、直接送信時のＡＤＦ内でのジャム解除後において、送信側では、通信回路が断になっているので再度宛先番号を入力する等の各種の設定が必要となる。さらに１文書ファイル単位ではなくなってしまう。
【０００６】
本発明は直接送信中にＡＤＦ内でジャムが発生した場合でも通信を断にすることなくジャム解除後も続けて送信することができるファクシミリ装置を提供することを目的とする。
【０００７】
【課題を解決するための手段】
かかる目的を達成するために本発明のファクシミリ装置は、原稿ジャムを検知することが可能な検知手段を有する自動原稿搬送手段と、操作者からの動作設定を入力する操作入力手段と、他のファクシミリ装置との交信を制御する制御手段とを有し、直接送信及び独自のモードでの交信が可能なファクシミリ装置であり、直接送信中に自動原稿搬送手段内で原稿ジャムが発生したことを検知手段が検知すると、制御手段は原稿ジャムが解除されるまで、直接送信を開始する前に予め通知した所定のデータを送信相手に送信し続け、さらに操作入力手段により直接送信の再開の動作設定が入力されると、原稿ジャムが発生した頁から送信を再開するように制御することを特徴としている。
【０００８】
上記のファクシミリ装置は、原稿ジャムが発生した時点からの経過時間を計時する計時手段と、操作者により任意に設定された、原稿ジャムが発生してから通信回線を断にするまでの交信継続時間を記憶する記憶手段とをさらに有し、制御手段は、計時手段により経過時間を計時し、交信継続時間を経過しても原稿ジャムが解除されないと、送信相手との交信を断にするように制御するとよい。
【０００９】
上記の制御手段は、送信相手への画情報の送信が開始される前に交信継続時間の設定及び原稿ジャムが発生した場合に送信する所定のデータの設定をＮＳＳ（非標準設定信号）にて通知するとよい。
【００１０】
上記の制御手段は、データが送られてくると、送られたデータが画情報が乗せられた画像データであるか所定のデータであるのかを確認し、データが所定のデータであることを認識すると、画情報が乗せられた画像データが送られてくるまではページカウントを行わないように制御するとよい。
【００１１】
上記のファクシミリ装置は、他のファクシミリ装置との交信状態を表示する表示手段をさらに有し、制御手段は、所定のデータが送られてきたことを認識すると、ＮＳＳにて予め設定された交信継続時間を表示手段に表示するように制御するとよい。
【００１２】
さらに上記の所定のデータは、制御手段にて画像データに白マスク処理を施した白マスクデータであるとよい。
【００１３】
【発明の実施の形態】
次に添付図面を参照して本発明のファクシミリ装置の実施の形態を詳細に説明する。図１〜図５を参照すると本発明のファクシミリ装置の一実施形態が示されている。尚、図１は本発明のファクシミリ装置の実施形態の概念的な構成を表すブロック構成図、図２及び図３は動作フローを表す図、図４は送信機側の操作部に表示される表示例を示す図、図５は受信機側の操作部に表示される表示例を示す図である。
【００１４】
まず図１を用いて本実施形態の構成を説明する。図１において、１は本装置全体を制御するＦＣＵ（ＦＡＸ  Ｃｏｎｔｒｏｌ  ｕｎｉｔ）、２は送信機から送られた通常の画像データを格納するＳＡＦ（Ｓｔｏｒｅ  ａｎｄ  Ｆｏｒｗａｒｄ）、３はジャム発生時の各種装置及びＦＣＵの設定情報を格納する記憶装置、４は図示しないＡＤＦによって搬送された送信原稿の画像情報を読み取るスキャナ部、５は各種の操作処理や送信相手先の局番等を入力する操作部、６は図示しないＡＤＦを制御するＡＤＦ制御部、７は送信側から送られた画像データを記録する記録紙の給送を制御する給紙制御部、８は記録紙に送信側から送られた画像データを印字して出力する出力手段、９は送信側にて原稿ジャム等が発生し、原稿が送られてくる順番が正しい並びと異なってしまったときに、入力した画像データを正しい順番に並び変えるためのソータ制御部、１０は電話回線にて接続された本装置と送信相手機との網制御を行うＮＣＵ（Ｎｅｔｗｏｒｋ  Ｃｏｎｔｒｏｌ  Ｕｎｉｔ）である。
【００１５】
次に上記構成による動作例を図２及び図３のタイミングチャートを用いて説明する。まず、原稿ジャム等の問題が発生することなく正常の送信動作を行った場合の動作例を図２を用いて説明する。送信機から受信機のＦＡＸ番号が入力されると、送信機と受信機とが電話回線に接続される。受信機は回線に接続されてから数秒後に被呼局が非音声信号端末であることを示す被呼局識別信号（以下、ＣＥＤ信号という）を出力する。さらに受信機はＣＥＤ信号が終了した後に、送信機の要求を識別するための非標準機能信号（以下、ＮＳＦ信号という）をＣＥＤ信号に続けて出力する。
【００１６】
送信機ではＮＳＦ信号を入力してＮＳＦ信号に含まれる情報を解析する。そしてＮＳＦ信号によって送られた情報に対するデジタル命令応答を表す非標準設定信号（以下、ＮＳＳという）を出力する。ＮＳＳ信号の出力が終了すると、続いて所定のデータ速度でチャネルが使用できることを表示するためのトレーニングチェック信号であるＴＣＦ信号を出力する。
【００１７】
受信機は、ＴＣＦ信号を入力するとプリメセージ手順がすべて終了し、画情報の送信を開始してよいことを確認するための受信準備確認信号（以下、ＣＦＲ信号という）を出力する。送信機はＣＦＲ信号が送られてきたことを確認し、１枚目の画情報を送信する。
【００１８】
送信機は、１枚目の画情報の送信が終了すると、一枚目の画情報の送信が終了したことを表すマルチページ信号（以下、ＭＰＳ信号という）を送信する。受信機では完全なメッセージが満足に受信され、更にメッセージが続いてもよいことを表すＭＰＳ信号への肯定応答であるメッセージ確認信号（以下、ＭＣＦ信号という）を送信局に出力することにより１ページ分の画情報の送信が完了する。
【００１９】
受信機からのＭＣＦ信号が送信機に届くと、送信機は２枚目の画情報を出力する。上記の動作を繰り返して全ての頁の画情報が出力されると、送信機はすべての画情報の送信が終了したことを表し、さらにこの他にドキュメントを送らないことを表す手順終了信号（以下、ＥＯＰという）を出力する。受信機にこのＥＯＰ信号が届くと、受信機はＭＣＦ信号を出力する。送信局はＭＣＦ信号を受信すると呼切断の開始を表す切断命令信号（以下、ＤＣＮ）を送信し、一連の画情報の送信が終了する。
【００２０】
次に本発明のファクシミリ装置における初期設定について説明する。まず、本発明のファクシミリ装置では、送信機から受信機に画像データが送信される前にＮＳＳ信号によりジャム解除設定モードを指定しておく。ジャム解除設定モードとは原稿ジャムが送信機にて発生したときに、画情報の代わりとして送るデータを予め受信機に通知し、さらに受信機を送信機から送られたデータが画情報が乗せられた正しい画像データであるか否かを常に確認するように設定するモードである。この設定により原稿ジャムが発生すると送信機は予め設定された所定のデータを受信機に送信するので送信機での原稿ジャムの発生を通知することができる。
【００２１】
尚、本実施形態では、送信機に原稿ジャムが発生した時には、送信機は画像データにＦＣＵ部２０で白マスク処理を施した白マスクデータを受信機に送信するように設定されている。ＮＳＳ信号によりジャム解除設定モードにセットされると、受信機は受信したデータが画情報が乗せられた正しい画像データであるのか、それとも白マスク処理を施された白マスクデータであるのかを監視する。そして、送信されたデータが白マスクデータであることを認識すると、その頁にて送信側でジャムが発生したと判断する。さらに、その頁のページカウントを行わずに画像データが送られてくるまでは画像データであるのか、白マスクデータであるのかの比較を繰り返して行う。
【００２２】
さらにＮＳＳ信号には原稿ジャムが発生した場合に、原稿ジャムを送信側が解除するまでの設定時間（以下、ジャム解除時間という）の情報が乗せられている。このジャム解除時間は送信側でジャム解除時間を経過しても原稿ジャムが解除されないと回線を閉結する時間である。本装置の場合送信機の原稿ジャム解除キーが押下されないと、永久に電話回線を独占使用してしまう。そこであらかじめ回線を閉結する時間を設定しておくことにより上記の不具合を解決することができる。
【００２３】
また本実施形態では、上記のジャム解除時間の設定は、オペレータが操作部により任意に設定することができるように設定されている。
【００２４】
さらに回線を閉結する時間の設定をジャム解除時間として受信機にＮＳＳ信号にて通知することにより、受信機においてもジャムを解除するまでに最大限かかる時間を知ることができる。また、白マスクされた画像データがどの程度続くのかを認識することができる。
【００２５】
次に図３を用いて本装置の特徴であるＡＤＦに原稿ジャムが発生した場合の解除フローを説明する。尚、図３に示されたように１枚目の画情報は正常に送信することができたが、２枚目の原稿をＡＤＦにてスキャナに搬送するときにＡＤＦにて原稿ジャムが発生したものとする。また画情報を送信するための初期設定及び１枚目の原稿を送信するまでの動作は図２を用いて説明した上記の動作と同様であるので省略する。
【００２６】
送信機が２枚目の原稿をＡＤＦ６にてスキャナ部に搬送している途中で原稿ジャムが発生すると、本装置はこの原稿ジャムをＡＤＦ制御部６にて検知する。そして、ＡＤＦ６にて原稿ジャムが発生したこと及び正常に送信することのできた頁数を操作部５上に表示させる。さらに予め設定されていたジャム解除設定時間を表示し、原稿ジャムを解除した場合の送信動作開始方法を提示する。図４は操作部５に表示される表示の一例を表している。「ＡＤＦでジャムが発生しました。１枚目まで正常送信を終了しています。ジャム解除設定時間は１分です。ジャムを解除した場合はＯＫを押してください。」と表示することにより操作者はＡＤＦにて原稿ジャムが発生し、送信不能状態になっていることを認識し、さらに原稿ジャムを解除した場合の操作方法まで提示されているので速やかに処理を行うことができる。
【００２７】
本装置は原稿ジャムが２ページ目にて発生すると、その発生した２ページ目からＦＣＵ部１にて画像データの各ビットをすべて「０」にしたダミーの白マスクデータを２ページ目の画像データとして送信する。そしてオペレータが原稿ジャムを解除するまではダミーの白マスクデータを送信し続ける。
【００２８】
受信機では、ＮＳＳ信号によって設定されたジャム解除設定モードに従って送られてくる画像データが白マスクデータであるか正しい画情報が乗せられた画像データであるのかの確認を送信機から画像データが送られてくるごとに行っている。送信機から送られた２枚目の画像データが白マスクデータであったときにはその頁は送信機でジャムが発生したものと判断する。そして２ページ目の画像データのページカウントを行わずに画情報が乗せられた画像データが送信されてくるまでは比較動作を繰り返す。
【００２９】
さらに受信機は操作部５に図５に示されたような表示を行う。「送信機側でジャムが発生しました。１枚目まで正常受信終了しています。送信側のジャム解除設定時間は１分です」との表示を行うことにより受信機側においてもジャムを解除するまでにかかる時間を把握することができ、受信機側の作業が停滞するのを防ぐことができる。
【００３０】
尚、比較動作を行うデータは圧縮されたデータであっても生の画像データであってもどちらでもかまわないものとする。さらに本実施例では白のマスクデータを例に取り上げたが、画像データの一部を適当な配列に置き換えた画像データを本装置に適用することも容易にできる。
【００３１】
送信側のオペレータにより原稿ジャムが解消され、操作部５上に設けられた解除キーが押下されると、送信機は送信することができないでいた２枚目からの画像データの送信を開始する。そして全ての頁の画像データが出力されると、送信機はＥＯＰ信号を送信し、すべての画像データの送信が終了したことを通知する。受信機にこのＥＯＰ信号が届くと、受信機はＭＣＦ信号を出力する。送信局はＭＣＦ信号を受信すると呼切断の開始を表すＤＣＮ信号を送信し、一連の画情報の送信が終了する。
【００３２】
また、予め送信側のオペレータによって通知されたジャム解除時間を過ぎても画像データが送信されてこなかった場合はこの通信回線を閉結する。よって通信回線をいつまでも独占しているという不具合を防止することができる。
【００３３】
尚、本実施例では、ＡＤＦ６上での原稿ジャムについて取り上げたが、操作部５上に一時停止キーを設けることにより原稿ジャム発生時と同等の処理を行うこともできる。
【００３４】
上記の動作により直接送信中にＡＤＦ内で原稿ジャムが発生した場合、回線を切らずに済むので宛先番号等を再設定せずに送信を再開することができる。またジャム解除時間を予め設定しておくことによりオペレータが本機能を良く知らない場合でも設定時間になると回線を閉結するため電話料金を無駄にすることがなくなる。
【００３５】
さらに原稿ジャムを解除するまでにかかる時間を設定し、予め受信機側にも知らせておくことにより受信機側の作業が停滞することを防ぐことができる。
【００３６】
【発明の効果】
以上の説明より明らかなように請求項１記載の本発明のファクシミリ装置は、原稿ジャムを検知することが可能な検知手段を有する自動原稿搬送手段と、操作者からの動作設定を入力する操作入力手段と、他のファクシミリ装置との交信を制御する制御手段とを有する直接送信及び独自のモードでの交信が可能なファクシミリ装置であり、直接送信中に自動原稿搬送手段内で原稿ジャムが発生したことを検知手段が検知すると、制御手段が原稿ジャムが解除されるまで、直接送信を開始する前に予め通知した所定のデータを送信相手に送信し続け、さらに操作入力手段により直接送信の再開の動作設定が入力されると、原稿ジャムが発生した頁から送信を再開することにより、直接送信中に自動原稿搬送手段の内部で原稿ジャムが発生した場合でも通信回線を切らずに済むので、宛先番号等を再設定せずに送信を再開することができる。
【００３７】
請求項２記載のファクシミリ装置によれば、上記の効果に加えて、原稿ジャムが発生した時点からの経過時間を計時する計時手段と、操作者により任意に設定された原稿ジャムが発生してから通信回線を断にするまでの交信継続時間を記憶する記憶手段とをさらに有して構成され、制御手段が計時手段により経過時間を計時し、交信継続時間を経過しても原稿ジャムが解除されないと、送信相手との交信を断にすることにより、永久に通信回線を独占使用してしまうという不具合を防止することができる。
【００３８】
請求項３記載のファクシミリ装置によれば、上記の効果に加えて、制御手段が、送信相手への画情報の送信が開始される前に交信継続時間の設定及び原稿ジャムが発生した場合に送信する所定のデータの設定をＮＳＳ（非標準設定信号）にて通知することにより、受信側は送信側から所定のデータが送られてくると、送信側に原稿ジャムが発生したことを認識し、通信回線を切らずに済むので、宛先番号等を再設定せずに送信を再開することができる。また、交信継続時間を予め設定したことにより通信回線を独占するという不具合を解消することができる。
【００３９】
また原稿ジャムを解除するまでにかかる時間を予め設定しておくことで操作者がファクシミリ装置の機能をよく熟知していない場合でも交信継続時間になると回線を閉結させるため無駄な電話料金を払わずに済む。
【００４０】
請求項４記載のファクシミリ装置によれば、上記の効果に加えて、制御手段がデータが送られてくると、送られたデータが画情報が乗せられた画像データであるか所定のデータであるのかを確認し、データが所定のデータであることを認識すると画情報が乗せられた画像データが送られてくるまではページカウントを行わないように制御することにより、意味のないデータを印刷してしまうことがなくなり印刷用紙の無駄を省くことができる。
【００４１】
請求項５記載のファクシミリ装置によれば、上記の効果に加えて、他のファクシミリ装置との交信状態を表示する表示手段をさらに有し、制御手段が所定のデータが送られてきたことを認識すると、ＮＳＳにて予め設定された交信継続時間を表示手段に表示するように制御することにより、送信側がジャムを解除するまでにかかる最大限の時間を受信側の操作者に通知することができ、受信機の作業が停滞することを防ぐことができる。
【００４２】
請求項６記載のファクシミリ装置によれば、上記の効果に加えて、所定のデータは、制御手段にて画像データに白マスク処理を施した白マスクデータであることにより、他に特別な装置を設けることなく受信側に送信側の原稿ジャムの発生を通知することができる。
【図面の簡単な説明】
【図１】本発明のファクシミリ装置の概略構成を表すブロック図である。
【図２】正常に動作したときのタイミングチャートである。
【図３】ＡＤＦジャムが発生した時のタイミングチャートである。
【図４】送信機側の操作部に表示される表示の一例を表す図である。
【図５】受信機側の操作部に表示される表示の一例を表す図である。
【符号の説明】
１  ＦＣＵ
２  ＳＡＦ
３  記憶装置
４  スキャナ制御部
５  操作部
６  ＡＤＦ制御部
７  給紙制御部
８  出力手段
９  ソータ制御部
１０  ＮＣＵ
１１  各種センサ
【図１】
0003574731.tif 000002
【図２】
0003574731.tif 000003
【図３】
0003574731.tif 000004
【図４】
0003574731.tif 000005
【図５】
0003574731.tif 000006